【手続補正書】
【提出日】平成18年12月14日(2006.12.14)
【手続補正１】
【補正対象書類名】明細書
【補正対象項目名】特許請求の範囲
【補正方法】変更
【補正の内容】
【特許請求の範囲】
【請求項１】  原稿台に載置された原稿を照明する光源手段と、該光源手段により照明された原稿からの光束を反射させる複数のミラーと、該複数のミラーで反射された光束を結像させる結像レンズと、該結像レンズの結像位置に配置された読取手段と、を含む走査光学系ユニットを、該原稿と相対的に移動させて、該原稿の画像情報を読取る画像読取装置において、
該複数のミラーは第１、第２、第３ミラーの３枚のミラーより成り、該原稿からの光束が該第１ミラーで反射された後、該第２ミラーへ入射し、該第２ミラーで反射された光束が再度第１ミラーへ入射し、該第１ミラーで反射された光束が再度第２ミラーへ入射し、該第２ミラーで反射された光束が該第３ミラーへ入射し、該第３ミラーで反射された光束が該結像レンズに入射しており、
該原稿からの光束を複数回反射させる多重反射ミラーは、その反射面から該原稿台までの鉛直方向の最長距離が、該結像レンズの光軸から該原稿台までの鉛直方向の距離よりも短く、且つ該第１ミラーの反射面から該原稿台までの鉛直方向の最長距離は、該結像レンズの光軸から該原稿台までの鉛直方向の距離よりも短いことを特徴とする画像読取装置。
【請求項２】  原稿台に載置された原稿を照明する光源手段と、該光源手段により照明された原稿からの光束を反射させる複数のミラーと、該複数のミラーで反射された光束を結像させる結像レンズと、該結像レンズの結像位置に配置された読取手段と、を含む走査光学系ユニットを、該原稿と相対的に移動させて、該原稿の画像情報を読取る画像読取装置において、
該複数のミラーは第１、第２、第３、第４ミラーの４枚のミラーより成り、該原稿からの光束が該第１ミラーで反射された後、該第２ミラーへ入射し、該第２ミラーで反射された光束が第３ミラーへ入射し、該第３ミラーで反射された光束が再度第２ミラーへ入射し、該第２ミラーで反射された光束が該第４ミラーへ入射し、該第４ミラーで反射された光束が該結像レンズに入射しており、
該原稿からの光束を複数回反射させる多重反射ミラーは、その反射面から該原稿台までの鉛直方向の最長距離が、該結像レンズの光軸から該原稿台までの鉛直方向の距離よりも短く、且つ該第１ミラーの反射面から該原稿台までの鉛直方向の最長距離は、該結像レンズの光軸から該原稿台までの鉛直方向の距離よりも短いことを特徴とする画像読取装置。
【請求項３】  原稿台に載置された原稿を照明する光源手段と、該光源手段により照明された原稿からの光束を反射させる複数のミラーと、該複数のミラーで反射された光束を結像させる結像レンズと、該結像レンズの結像位置に配置された読取手段と、を含む走査光学系ユニットを、該原稿と相対的に移動させて、該原稿の画像情報を読取る画像読取装置において、
該複数のミラーは第１、第２、第３ミラーの３枚のミラーより成り、該原稿からの光束が該第１ミラーで反射された後、該第２ミラーへ入射し、該第２ミラーで反射された光束が再度第１ミラーへ入射し、該第１ミラーで反射された光束が再度第２ミラーへ入射し、該第２ミラーで反射された光束が再度第１ミラーへ入射し、該第１ミラーで反射された光束が再度第２ミラーへ入射し、該第２ミラーで反射された光束が該第３ミラーへ入射し、該第３ミラーで反射された光束が該結像レンズに入射しており、
該原稿からの光束を複数回反射させる多重反射ミラーは、その反射面から該原稿台までの鉛直方向の最長距離が、該結像レンズの光軸から該原稿台までの鉛直方向の距離よりも短く、且つ該第１ミラーの反射面から該原稿台までの鉛直方向の最長距離は、該結像レンズの光軸から該原稿台までの鉛直方向の距離よりも短いことを特徴とする画像読取装置。
【請求項４】  原稿台に載置された原稿を照明する光源手段と、該光源手段により照明された原稿からの光束を反射させる複数のミラーと、該複数のミラーで反射された光束を結像させる結像レンズと、該結像レンズの結像位置に配置された読取手段と、を含む走査光学系ユニットを、該原稿と相対的に移動させて、該原稿の画像情報を読取る画像読取装置において、
該複数のミラーは第１、第２、第３、第４、第５ミラーの５枚のミラーより成り、該原稿からの光束が該第１ミラーで反射された後、該第２ミラーへ入射し、該第２ミラーで反射された光束が該原稿と該第１ミラーとの間の光路を交差して通過後、第３ミラーへ入射し、該第３ミラーで反射された光束が該原稿と該第１ミラーとの間の光路を交差して通過後、再度第２ミラーへ入射し、該第２ミラーで反射された光束が該原稿と該第１ミラーとの間の光路を交差して通過後、再度該第３ミラーへ入射し、該第３ミラーで反射された光束が該原稿と該第１ミラーとの間の光路を交差して通過後、該第４ミラーへ入射し、該第４ミラーで反射された光束が該第２ミラーと該第３ミラーとの間の光路を交差して通過後、該第５ミラーへ入射し、該第５ミラーで反射された光束が該結像レンズに入射しており、
該原稿からの光束を複数回反射させる多重反射ミラーは、その反射面から該原稿台までの鉛直方向の最長距離が、該結像レンズの光軸から該原稿台までの鉛直方向の距離よりも短く、且つ該第１ミラーの反射面から該原稿台までの鉛直方向の最長距離は、該結像レンズの光軸から該原稿台までの鉛直方向の距離よりも短いことを特徴とする画像読取装置。
【手続補正２】
【補正対象書類名】明細書
【補正対象項目名】００１８
【補正方法】変更
【補正の内容】
【００１８】
請求項１の発明の画像読取装置は、原稿台に載置された原稿を照明する光源手段と、該光源手段により照明された原稿からの光束を反射させる複数のミラーと、該複数のミラーで反射された光束を結像させる結像レンズと、該結像レンズの結像位置に配置された読取手段と、を含む走査光学系ユニットを、該原稿と相対的に移動させて、該原稿の画像情報を読取る画像読取装置において、
該複数のミラーは第１、第２、第３ミラーの３枚のミラーより成り、該原稿からの光束が該第１ミラーで反射された後、該第２ミラーへ入射し、該第２ミラーで反射された光束が再度第１ミラーへ入射し、該第１ミラーで反射された光束が再度第２ミラーへ入射し、該第２ミラーで反射された光束が該第３ミラーへ入射し、該第３ミラーで反射された光束が該結像レンズに入射しており、
該原稿からの光束を複数回反射させる多重反射ミラーは、その反射面から該原稿台までの鉛直方向の最長距離が、該結像レンズの光軸から該原稿台までの鉛直方向の距離よりも短く、且つ該第１ミラーの反射面から該原稿台までの鉛直方向の最長距離は、該結像レンズの光軸から該原稿台までの鉛直方向の距離よりも短いことを特徴としている。
【手続補正３】
【補正対象書類名】明細書
【補正対象項目名】００１９
【補正方法】変更
【補正の内容】
【００１９】
請求項２の発明の画像読取装置は、原稿台に載置された原稿を照明する光源手段と、該光源手段により照明された原稿からの光束を反射させる複数のミラーと、該複数のミラーで反射された光束を結像させる結像レンズと、該結像レンズの結像位置に配置された読取手段と、を含む走査光学系ユニットを、該原稿と相対的に移動させて、該原稿の画像情報を読取る画像読取装置において、
該複数のミラーは第１、第２、第３、第４ミラーの４枚のミラーより成り、該原稿からの光束が該第１ミラーで反射された後、該第２ミラーへ入射し、該第２ミラーで反射された光束が第３ミラーへ入射し、該第３ミラーで反射された光束が再度第２ミラーへ入射し、該第２ミラーで反射された光束が該第４ミラーへ入射し、該第４ミラーで反射された光束が該結像レンズに入射しており、
該原稿からの光束を複数回反射させる多重反射ミラーは、その反射面から該原稿台までの鉛直方向の最長距離が、該結像レンズの光軸から該原稿台までの鉛直方向の距離よりも短く、且つ該第１ミラーの反射面から該原稿台までの鉛直方向の最長距離は、該結像レンズの光軸から該原稿台までの鉛直方向の距離よりも短いことを特徴としている。
【手続補正４】
【補正対象書類名】明細書
【補正対象項目名】００２０
【補正方法】変更
【補正の内容】
【００２０】
請求項３の発明の画像読取装置は、原稿台に載置された原稿を照明する光源手段と、該光源手段により照明された原稿からの光束を反射させる複数のミラーと、該複数のミラーで反射された光束を結像させる結像レンズと、該結像レンズの結像位置に配置された読取手段と、を含む走査光学系ユニットを、該原稿と相対的に移動させて、該原稿の画像情報を読取る画像読取装置において、
該複数のミラーは第１、第２、第３ミラーの３枚のミラーより成り、該原稿からの光束が該第１ミラーで反射された後、該第２ミラーへ入射し、該第２ミラーで反射された光束が再度第１ミラーへ入射し、該第１ミラーで反射された光束が再度第２ミラーへ入射し、該第２ミラーで反射された光束が再度第１ミラーへ入射し、該第１ミラーで反射された光束が再度第２ミラーへ入射し、該第２ミラーで反射された光束が該第３ミラーへ入射し、該第３ミラーで反射された光束が該結像レンズに入射しており、
該原稿からの光束を複数回反射させる多重反射ミラーは、その反射面から該原稿台までの鉛直方向の最長距離が、該結像レンズの光軸から該原稿台までの鉛直方向の距離よりも短く、且つ該第１ミラーの反射面から該原稿台までの鉛直方向の最長距離は、該結像レンズの光軸から該原稿台までの鉛直方向の距離よりも短いことを特徴としている。
【手続補正５】
【補正対象書類名】明細書
【補正対象項目名】００２１
【補正方法】変更
【補正の内容】
【００２１】
請求項４の発明の画像読取装置は、原稿台に載置された原稿を照明する光源手段と、該光源手段により照明された原稿からの光束を反射させる複数のミラーと、該複数のミラーで反射された光束を結像させる結像レンズと、該結像レンズの結像位置に配置された読取手段と、を含む走査光学系ユニットを、該原稿と相対的に移動させて、該原稿の画像情報を読取る画像読取装置において、
該複数のミラーは第１、第２、第３、第４、第５ミラーの５枚のミラーより成り、該原稿からの光束が該第１ミラーで反射された後、該第２ミラーへ入射し、該第２ミラーで反射された光束が該原稿と該第１ミラーとの間の光路を交差して通過後、第３ミラーへ入射し、該第３ミラーで反射された光束が該原稿と該第１ミラーとの間の光路を交差して通過後、再度第２ミラーへ入射し、該第２ミラーで反射された光束が該原稿と該第１ミラーとの間の光路を交差して通過後、再度該第３ミラーへ入射し、該第３ミラーで反射された光束が該原稿と該第１ミラーとの間の光路を交差して通過後、該第４ミラーへ入射し、該第４ミラーで反射された光束が該第２ミラーと該第３ミラーとの間の光路を交差して通過後、該第５ミラーへ入射し、該第５ミラーで反射された光束が該結像レンズに入射しており、
該原稿からの光束を複数回反射させる多重反射ミラーは、その反射面から該原稿台までの鉛直方向の最長距離が、該結像レンズの光軸から該原稿台までの鉛直方向の距離よりも短く、且つ該第１ミラーの反射面から該原稿台までの鉛直方向の最長距離は、該結像レンズの光軸から該原稿台までの鉛直方向の距離よりも短いことを特徴としている。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】